(57)【要約】  電子デバイスは、雑音信号を受信し、雑音信号の音響計測基準を生成する。呼出信号は、音響計測基準に基づき生成される。更に、電子デバイスは、複数の呼出プロファイルを提供することも可能である。ユーザは、複数の呼出プロファイルのうち１つを選択でき、呼出信号は、複数の呼出プロファイルから選択された１つに基づいて生成されうる。電子デバイスは、複数の呼出プロファイルを提供することにより更なる動作も可能である。雑音信号を受信し、複数のプロファイルのうちの１つが、雑音信号の受信に応答して選択されうる。呼出信号は、複数の呼出プロファイルのうち選択された１つに基づき生成されうる。
2007512767.tif 000002
【特許請求の範囲】
【請求項１】
電子デバイスを動作させる方法であって、
雑音信号を受信するステップと、
前記雑音信号の音響計測基準を生成するステップと、
前記音響計測基準に基づいて呼出信号を生成するステップと、
を有する方法。
【請求項２】
前記呼出信号を生成するステップは、前記音響計測基準に基づいて、スペクトル構造を有する前記呼出信号を生成することを特徴とする請求項１に記載の方法。
【請求項３】
前記音響計測基準はラウドネス分布であり、前記音響計測基準を生成するステップは、前記雑音信号の周波数領域表現を取得するために前記雑音信号に対してフーリエ変換を実行するステップを含むことを特徴とする請求項２に記載の方法。
【請求項４】
前記音響計測基準を生成するステップは、
ISO 532Bのラウドネス計算方法を使用して、前記雑音信号の前記周波数領域表現についてのBarkに対するSones/Barkの分布を計算するステップと、
前記Barkに対するSones/Barkの分布に基づいて、前記雑音信号の全体のラウドネス及び前記雑音信号の少なくとも１つの臨界帯域におけるラウドネスを計算するステップと、
を更に含み、
前記ラウドネス分布は、前記雑音信号の前記全体のラウドネス及び前記少なくとも１つの臨界帯域におけるラウドネスを含むことを特徴とする請求項３に記載の方法。
【請求項５】
前記呼出信号を生成するステップは、
前記雑音信号の前記ラウドネス分布に基づいて、前記呼出信号の電力値を計算するステップと、
前記雑音信号の前記ラウドネス分布に基づいて、呼出信号送信フィルタの伝達関数を求めるステップと、
前記呼出信号送信フィルタを使用して、前記電力値で前記呼出信号を送信するステップと、
を含むことを特徴とする請求項４に記載の方法。
【請求項６】
前記呼出信号送信フィルタの伝達関数を求めるステップは、前記呼出信号送信フィルタの係数を選択するステップを含むことを特徴とする請求項５記載の方法。
【請求項７】
前記音響計測基準は、ラウドネス分布および／またはシャープネス分布を含むことを特徴とする請求項１に記載の方法。
【請求項８】
前記電子デバイスにおいて着信および／またはスケジュールされたイベントを受信するステップを更に有し、
前記雑音信号を受信するステップは、前記着信の受信に応答して前記雑音信号を受信する
ことを特徴とする請求項１に記載の方法。
【請求項９】
前記雑音信号を受信し、かつ前記雑音信号の前記音響計測基準を生成した後、前記電子デバイスにおいて着信を受信するステップを更に有し、
前記呼出信号を生成するステップは、前記着信の受信に応答して、前記音響計測基準に基づいて、スペクトル構造を有する呼出信号を生成する
ことを特徴とする請求項１に記載の方法。
【請求項１０】
前記電子デバイスは移動端末であることを特徴とする請求項１に記載の方法。
【請求項１１】
電子デバイスを動作させる方法であって、
複数の呼出プロファイルを提供するステップと、
前記複数の呼出プロファイルからユーザにより選択された１つの呼出プロファイルを受信するステップと、
前記複数の呼出プロファイルから選択された前記１つの呼出プロファイルに基づいて、呼出信号を生成するステップと、
を有する方法。
【請求項１２】
前記呼出信号を生成するステップは、前記複数の呼出プロファイルから選択された前記１つのプロファイルに基づいて、スペクトル構造を有する呼出信号を生成することを特徴とする請求項１１に記載の方法。
【請求項１３】
前記呼出信号を生成するステップは、
前記雑音信号の前記複数の呼出プロファイルから選択された前記１つの呼出プロファイルに基づいて、前記呼出信号の電力値を計算するステップと、
前記雑音信号の前記複数の呼出プロファイルから選択された前記１つの呼出プロファイルに基づいて、呼出信号送信フィルタの伝達関数を求めるステップと、
前記呼出信号送信フィルタを用いて、前記電力値で、前記呼出信号を送信するステップと、
を含むことを特徴とする請求項１１に記載の方法。
【請求項１４】
電子デバイスを動作させる方法であって：
複数の呼出プロファイルを提供するステップと、
雑音信号を受信するステップと、
前記雑音信号の受信に応答して、前記複数の呼出プロファイルから１つの呼出プロファイルを選択するステップと、
前記複数の呼出プロファイルから選択された前記１つの呼出プロファイルに基づいて、呼出信号を生成するステップと、
を有する方法。
【請求項１５】
前記呼出信号を生成するステップは、前記複数の呼出プロファイルから選択された前記１つの呼出プロファイルに基づいて、スペクトル構造を有する呼出信号を生成することを特徴とする請求項１４に記載の方法。
【請求項１６】
前記呼出信号を生成するステップは、
前記雑音信号の前記複数の呼出プロファイルから選択された前記１つの呼出プロファイルに基づいて、前記呼出信号の電力値を計算するステップと、
前記雑音信号の前記複数の呼出プロファイルから選択された前記１つの呼出プロファイルに基づいて、呼出信号送信フィルタの伝達関数を求めるステップと、
前記呼出信号送信フィルタを用いて、前記電力値で、前記呼出信号を送信するステップと、
を含むことを特徴とする請求項１４に記載の方法。
【請求項１７】
雑音信号を受信するように構成された受信機と、
前記雑音信号の音響計測基準を生成するように構成された音響計測プロセッサと、
前記音響計測基準に基づいて呼出信号を生成するように構成された呼出ジェネレータと、
を有する電子デバイス。
【請求項１８】
前記呼出ジェネレータは、前記音響計測基準に基づいて、スペクトル構造を有する呼出信号を生成することを特徴とする請求項１７に記載の電子デバイス。
【請求項１９】
前記音響計測基準はラウドネス分布であり、
前記雑音信号の周波数領域表現を取得するように構成されたフーリエ変換モジュールを更に有することを特徴とする請求項１８に記載の電子デバイス。
【請求項２０】
前記音響計測プロセッサは、
ISO 532Bのラウドネス計算方法を使用して、前記雑音信号の周波数領域表現についての、Barkに対するSones/Barkの分布を計算し、
前記Barkに対するSones/Barkの分布に基づいて、前記雑音信号の全体のラウドネス及び前記雑音信号の少なくとも１つの臨界帯域におけるラウドネスを判定する、
ように更に構成されており、
前記ラウドネス分布は、前記雑音信号の前記全体のラウドネス及び前記少なくとも１つの臨界帯域におけるラウドネスを含む
ことを特徴とする請求項１９に記載の電子デバイス。
【請求項２１】
前記呼出ジェネレータは呼出信号送信フィルタを含み、
前記呼出ジェネレータは、
前記雑音信号の前記ラウドネス分布に基づいて前記呼出信号の電力値を計算し、
前記雑音信号の前記ラウドネス分布に基づいて前記呼出信号送信フィルタの伝達関数を求め、
前記呼出信号送信フィルタを用いて、前記電力値で、前記呼出信号を送信する
ことを特徴とする請求項２０に記載の電子デバイス。
【請求項２２】
前記呼出ジェネレータは、さらに、前記呼出信号送信フィルタの係数を選択することを特徴とする請求項２１に記載の電子デバイス。
【請求項２３】
前記音響計測基準はラウドネス分布及びシャープネス分布を含むことを特徴とする請求項１７に記載の電子デバイス。
【請求項２４】
前記電子デバイスは移動端末であることを特徴とする請求項１７に記載の電子デバイス。
【請求項２５】
雑音信号を受信する手段と、
前記雑音信号の音響計測基準を生成する手段と、
前記音響計測基準に基づいて呼出信号を生成する手段と、
を有する電子デバイス。
【請求項２６】
前記呼出信号を生成する手段は、前記音響計測基準に基づいて、スペクトル構造を有する呼出信号を生成することを特徴とする請求項２５に記載の電子デバイス。
【請求項２７】
前記音響計測基準はラウドネス分布であり、
前記音響計測基準を生成する手段は、前記雑音信号の周波数領域表現を取得するために前記雑音信号に対してフーリエ変換を実行する手段を含む
ことを特徴とする請求項２６に記載の電子デバイス。
【請求項２８】
前記音響計測基準を生成する手段は、
ISO 532Bのラウドネス計算方法を使用して、前記雑音信号の前記周波数領域表現についての、Barkに対するSones/Barkの分布を計算する手段と、
前記Barkに対するSones/Barkの分布に基づいて、前記雑音信号の全体のラウドネス及び前記雑音信号の少なくとも１つの臨界帯域におけるラウドネスを判定する手段と、
を含み、
前記ラウドネス分布は、前記雑音信号の前記全体のラウドネス及び前記少なくとも１つの臨界帯域におけるラウドネスを含む
ことを特徴とする請求項２７に記載の電子デバイス。
【請求項２９】
前記呼出信号を生成する手段は、
前記雑音信号の前記ラウドネス分布に基づいて前記呼出信号の電力値を計算する手段と、
前記雑音信号の前記ラウドネス分布に基づいて呼出信号送信フィルタの伝達関数を求める手段と、
前記呼出信号送信フィルタを用いて、前記電力値で、前記呼出信号を送信する手段と、
を含むことを特徴とする請求項２８に記載の電子デバイス。
【請求項３０】
複数の呼出プロファイルを提供する手段と、
前記複数の呼出プロファイルからユーザにより選択された１つの呼出プロファイルを受信する手段と、
前記複数の呼出プロファイルから選択された前記１つの呼出プロファイルに基づいて、呼出信号を生成する手段と、
を有する電子デバイス。
【請求項３１】
複数の呼出プロファイルを提供する手段と、
雑音信号を受信する手段と、
前記雑音信号の受信に応答して、前記複数の呼出プロファイルから１つの呼出プロファイルを選択する手段と、
前記複数の呼出プロファイルから選択された前記１つの呼出プロファイルに基づいて、呼出信号を生成する手段と、
を有する電子デバイス。
【請求項３２】
電子デバイスを動作させるコンピュータプログラム製品であって、
コンピュータ可読プログラムコードを実装したコンピュータ可読記憶媒体を含み、
前記コンピュータ可読プログラムコードは、
雑音信号を受信するように構成されたコンピュータ可読プログラムコードと、
前記雑音信号の音響計測基準を生成するように構成されたコンピュータ可読プログラムコードと、
前記音響計測基準に基づいて呼出信号を生成するように構成されたコンピュータ可読プログラムコードとを含む
ことを特徴とするコンピュータプログラム製品。
【請求項３３】
前記呼出信号を生成するように構成された前記コンピュータ可読プログラムコードは、
前記音響計測基準に基づいて、スペクトル構造を有する呼出信号を生成するように構成されたコンピュータ可読プログラムコードを含むことを特徴とする請求項３２に記載のコンピュータプログラム製品。
【請求項３４】
前記音響計測基準はラウドネス分布であり、
前記音響計測基準を生成するように構成された前記コンピュータ可読プログラムコードは、
前記雑音信号の周波数領域表現を取得するために前記雑音信号に対してフーリエ変換を実行するように構成されたコンピュータ可読プログラムコードを含む
ことを特徴とする請求項３３に記載のコンピュータプログラム製品。
【請求項３５】
前記音響計測基準を生成するように構成された前記コンピュータ可読プログラムコードは、
ISO 532Bのラウドネス計算方法を使用して、前記雑音信号の前記周波数領域表現についての、Barkに対するSones/Barkの分布を計算するように構成されたコンピュータ可読プログラムコードと、
前記Barkに対するSones/Barkの分布に基づいて、前記雑音信号の全体のラウドネス及び前記雑音信号の少なくとも１つの臨界帯域におけるラウドネスを判定するように構成されたコンピュータ可読プログラムコードと、
を更に含み、
前記ラウドネス分布は、前記雑音信号の前記全体のラウドネス及び前記少なくとも１つの臨界帯域におけるラウドネスを含む
ことを特徴とする請求項３４記載のコンピュータプログラム製品。
【請求項３６】
前記呼出信号を生成するように構成された前記コンピュータ可読プログラムコードは、
前記雑音信号の前記ラウドネス分布に基づいて前記呼出信号の電力値を計算するように構成されたコンピュータ可読プログラムコードと、
前記雑音信号の前記ラウドネス分布に基づいて呼出信号送信フィルタの伝達関数を求めるように構成されたコンピュータ可読プログラムコードと、
前記呼出信号送信フィルタを用いて、前記電力値で、前記呼出信号を送信するように構成されたコンピュータ可読プログラムコードと、
を含むことを特徴とする請求項３５記載のコンピュータプログラム製品。
【請求項３７】
電子デバイスを動作させるコンピュータプログラム製品であって、
コンピュータ可読プログラムコードを実装したコンピュータ可読記憶媒体を含み、
前記コンピュータ可読プログラムコードは、
複数の呼出プロファイルを提供するように構成されたコンピュータ可読プログラムコードと、
前記複数の呼出プロファイルからユーザにより選択された１つの呼出プロファイルを受信するように構成されたコンピュータ可読プログラムコードと、
前記複数の呼出プロファイルから選択された前記１つの呼出プロファイルに基づいて、呼出信号を生成するように構成されたコンピュータ可読プログラムコードと、
を含むコンピュータプログラム製品。
【請求項３８】
電子デバイスを動作させるコンピュータプログラム製品であって、
コンピュータ可読プログラムコードを実装したコンピュータ可読記憶媒体を含み、
前記コンピュータ可読プログラムコードは、
複数の呼出プロファイルを提供するように構成されたコンピュータ可読プログラムコードと、
雑音信号を受信するように構成されたコンピュータ可読プログラムコードと、
前記雑音信号の受信に応答して、前記複数の呼出プロファイルから１つの呼出プロファイルを選択するように構成されたコンピュータ可読プログラムコードと、
前記複数の呼出プロファイルから選択された前記１つの呼出プロファイルに基づいて、呼出信号を生成するように構成されたコンピュータ可読プログラムコードと、
を含むコンピュータプログラム製品。
【発明の詳細な説明】
【技術分野】
【０００１】
本発明は信号処理技術に関し、特に、電子デバイスの呼出信号を生成する方法、電子デバイス及びコンピュータプログラム製品に関する。
【背景技術】
【０００２】
移動端末等の電子デバイスは、通常、着信呼等の着信があった時、それをユーザに通知するための呼出信号（alert signal）を有する。電子デバイスは、比較的騒々しい環境あるいは比較的静かな環境等、種々の環境において使用される可能性があるため、音による呼出信号（audible alert signal）は、適切な音量レベル又はボリュームであるとは限らない。音による通知に代えてバイブレーションを呼出信号として使用することも１つの方法である。しかし、通常、バイブレーションが効果を生むのは、電子デバイスが比較的ユーザの身体の近くにあるときだけである。
【発明の開示】
【０００３】
本発明の実施形態によれば、電子デバイスは、雑音信号を受信し、その雑音信号の音響計測基準を生成する。呼出信号は音響計測基準に基づいて生成される。
【０００４】
本発明の他の実施形態によれば、呼出信号は音響計測基準に基づいてスペクトル構造を有するように生成されてもよい。
【０００５】
本発明の他の実施形態によれば、音響計測基準はラウドネス分布であり、また音響計測基準は、雑音信号の周波数領域表現を取得するために雑音信号に対してフーリエ変換を実行することにより生成されうる。雑音信号の周波数領域表現についての、Barkに対するSones/Barkの分布は、ISO 532Bのラウドネス計算方法を用いて計算することができる。Barkに対するSones/Barkの分布に基づいて、雑音信号に対して全体のラウドネスが計算され、雑音信号の少なくとも１つの臨界帯域におけるラウドネスが計算される。ラウドネス分布は、雑音信号の全体のラウドネス及び少なくとも１つの臨界帯域のラウドネスとすることができる。
【０００６】
本発明の更に他の実施形態によれば、呼出信号は、雑音信号のラウドネス分布に基づいて呼出信号の電力値を計算することにより生成してもよい。呼出信号送信フィルタの伝達関数は、雑音信号のラウドネス分布に基づいて求めることができる。呼出信号は、呼出信号送信フィルタを使用して、その電力値で送信してもよい。
【０００７】
本発明の別の実施形態において、音響計測基準はラウドネス分布及びシャープネス分布である。
【０００８】
本発明の更に別の実施形態において、雑音信号は、電子デバイスでの着信に応答して受信される信号である。
【０００９】
本発明の更に別の実施形態において、雑音信号を受信し、雑音信号の音響計測基準を生成した後に、電子デバイスにおいて着信信号が受信される。呼出信号は、その受信に応答して生成される。
【００１０】
本発明の更に別の実施形態において、電子デバイスは移動端末である。
【００１１】
本発明の他の実施形態によれば、複数の呼出プロファイルが提供されてもよく、ユーザは、その複数の呼出プロファイルのうちの１つを選択することができる。呼出信号は、複数の呼出プロファイルから選択された呼出プロファイルに基づいて生成してもよい。
【００１２】
本発明の更に他の実施形態によれば、複数の呼出プロファイルが提供されてもよく、雑音信号が受信されてもよい。雑音信号の受信に応答して、複数のプロファイルのうちの１つが選択されてもよい。呼出信号は、複数の呼出プロファイルのうちの選択された１つの呼出プロファイルに基づいて生成されてもよい。
【００１３】
以上では主に本発明の方法の側面に関して説明したが、本発明は、方法のみならず、電子デバイスおよび／またはコンピュータプログラム製品として実現可能であることは理解されよう。
【発明を実施するための最良の形態】
【００１４】
本発明は種々の変形及び別の形態をとることが可能であるが、図面には本発明の特定の実施形態を例示し、明細書でその詳細な説明を行う。しかし、本発明を、開示する特定の形態に限定する意図はなく、本発明には、請求の範囲において定義されるような本発明の主旨の範囲内にある全ての変形、本発明に均等なもの及び代替となるものが含まれることに理解されたい。図面の説明において、同一の図中番号は同一の要素を示すものとする。用語「有する（comprises, comprising）」は、本明細書において使用される場合、記載された特徴、数字、ステップ、動作、要素および／または構成要素の存在を特定するために使用されるが、１つ以上の他の特徴、数字、ステップ、動作、要素、構成要素および／またはそれらの集合の存在又は追加を除外するわけではない。
【００１５】
本発明は、方法、電子デバイスおよび／またはコンピュータプログラム製品として実現されうる。したがって、本発明は、ハードウェアおよび／またはソフトウェア（ファームウェア、常駐ソフトウェア、マイクロコード等を含む）において実現されうる。さらに、本発明は、命令実行システムにより使用するために又は命令実行システムに関連して使用するために、コンピュータ使用可能プログラムコード又はコンピュータ可読プログラムコードを実装したコンピュータ使用可能記憶媒体又はコンピュータ可読記憶媒体上のコンピュータプログラム製品の形態をとってもよい。本明細書において、コンピュータ使用可能媒体又はコンピュータ可読媒体は、命令実行システム、装置又はデバイスにより使用するために、あるいはそれらに関連して使用するために、プログラムを含有、格納、通信、伝播又は移動することができる任意の媒体であってもよい。
【００１６】
コンピュータ使用可能媒体又はコンピュータ可読媒体は、例えば電子、磁気、光、電磁気、赤外線、又は半導体のシステム、装置、デバイス又は伝播媒体であってもよいが、それらに限定されない。コンピュータ可読媒体の更に詳細な例（非包括的なリスト）には、１つ以上の配線を有する電気接続、ポータブルコンピュータディスケット、ランダムアクセスメモリ（ＲＡＭ）、読み出し専用メモリ（ＲＯＭ）、消去可能プログラマブルＲＯＭ（ＥＰＲＯＭ又はフラッシュメモリ）、光ファイバおよび／またはコンパクトディスク読み出し専用メモリ（ＣＤ−ＲＯＭ）が含まれる。なお、コンピュータ使用可能媒体又はコンピュータ可読媒体は、プログラムが印刷された紙又は別の適切な媒体であってもよい。これは、例えば紙又は他の媒体を光走査し、その後必要に応じてコンパイル、変換又は適切な方法での処理を行い、かつコンピュータメモリに格納することにより、プログラムを電子的に取り込むことが可能だからである。
【００１７】
以下、移動端末における呼出信号の生成について説明する。しかし、本発明は、呼出信号又は機構を使用して、着信呼、通信又はスケジュールされたイベント等のイベントをユーザに通知する他の種類の電子デバイスにおいて実現されうることは理解されよう。さらに、本明細書において使用されるように、用語「移動端末（mobile terminal）」は、マルチラインディスプレイを有する又は有さない衛星無線電話又は携帯無線電話；携帯無線電話をデータプロセシング、ファクシミリ及びデータ通信機能と組み合わせるパーソナル移動通信システム（ＰＣＳ）；無線電話、ページャ、インターネット／イントラネットアクセス、ウェブブラウザ、オーガナイザ、カレンダおよび／または全地球測位システム（ＧＰＳ）受信機を含むＰＤＡ；無線電話トランシーバを含む従来のラップトップおよび／またはパームトップ受信機、あるいは他の機器を含むものとする。移動端末は、「パーベイシブコンピューティング（pervasive computing）」デバイスとも呼びうるものである。
【００１８】
図１を参照すると、本発明のいくつかの実施形態による好適な移動端末１００は、プロセッサ１３５と通信するマイクロフォン１０５、スピーカ１１０、キーボード／キーパッド１１５、ディスプレイ１２０、トランシーバ１２５及び信号処理プロセッサ１３０を含む。マイクロフォン１０５は、単一のマイクロフォンでも複数のマイクロフォンであってもよい。トランシーバ１２５は、送信機回路１４０及び受信機回路１４５を含む。送信機回路１４０は、例えばアンテナ１５０を介して基地局トランシーバに出力無線周波数信号を送信する。受信機回路１４５は、例えばアンテナ１５０を介して基地局トランシーバから入力無線周波数信号を受信する。移動端末１００と基地局トランシーバとの間で送信される無線周波数信号は、トラヒック信号及び制御信号（例えば、着信に対するページング信号／メッセージ）の双方を含んでもよい。それらの信号は、別の相手又は別の送信先との通信を確立しかつ維持するために使用される。無線周波数信号は、セルラデジタルパケットデータ（ＣＤＰＤ）情報等のパケットデータ情報を更に含んでもよい。移動端末１００の本発明の機能を有しない上記の構成要素は、多くの従来の移動端末に含まれるものであり、それらの機能は、従来の動作に関して一般に当業者には周知である。
【００１９】
図１に示されるように、移動端末１００は信号処理プロセッサ１３０を含む。信号処理プロセッサ１３０は、マイクロフォン１０５を介して受信される周囲雑音信号に応答可能であり、周囲雑音信号に対して計算された音響計測指標に基づいてスペクトル構造を有する呼出信号を生成するように構成される。本明細書で使用されるように、スペクトル構造は、周波数スペクトルおよび／または電力レベルを示す。マイクロフォン１０５により拾われたバックグラウンドノイズを雑音と考えてもよく、および／または、特定の音源により生成される特定の信号を雑音として識別してもよい。本発明のいくつかの実施形態によれば、信号処理プロセッサ１３０は、雑音信号の１つ以上の臨界帯域におけるラウドネス測定値と、雑音信号の全体のラウドネスの測定値とを含んだ、周囲雑音信号のラウドネス分布を計算するように構成してもよい。例えば、内耳の基底板における同一の神経末端に対して競合する音響は、同一の臨界帯域にあると考えられる。一般に、臨界帯域幅は、２００Ｈｚ以下の周波数を有する音響に対しては約９０Ｈｚ、約５０００Ｈｚの周波数を有する音響に対しては約９００Ｈｚである。信号処理プロセッサ１３０は、このラウドネス分布に基づき呼出信号の電力値を求め、かつ、呼出信号送信フィルタの伝達関数を求めるように構成することができる。伝達関数の計算には、呼出信号送信フィルタの係数の選択が含まれうる。呼出信号は、呼出信号送信フィルタを使用して送信してもよい。
次に、信号処理プロセッサ１３０を実現するために使用される本発明のいくつかの実施形態による信号処理プロセッサについて、図２を参照して説明する。
【００２０】
図２に示されるように、本発明のいくつかの実施形態によるデジタル信号処理プロセッサ（ＤＳＰ）２００は、アナログ−デジタル（Ａ／Ｄ）コンバータ２０５、高速フーリエ変換（ＦＦＴ）モジュール２１０、音響計測プロセッサ２１５、メモリ２２０、呼出ジェネレータ２２５を含む。Ａ／Ｄコンバータ２０５は、例えば、１つ以上のマイクロフォン２５０から受信されるアナログ周囲雑音信号を一連のデジタルサンプルに変換するように構成される。ＦＦＴモジュール２１０は、周囲雑音信号の周波数領域表現を取得するように、周囲雑音信号のデジタルサンプルに対してフーリエ変換を実行するように構成される。音響計測プロセッサ２１５は、周囲雑音信号の周波数領域表現に基づいて、雑音信号の１つ以上の臨界帯域におけるラウドネス測定値と雑音信号の全体のラウドネスの測定値とを含む周囲雑音信号のラウドネス分布を生成するように構成される。
【００２１】
本発明のいくつかの実施形態において、ラウドネスプロセッサは、周囲雑音信号の周波数領域表現に基づいて、周囲雑音信号のシャープネス分布を生成するように構成してもよい。シャープネスは、高周波数ラウドネスと全体のラウドネスとの比で定義される。以下、音響計測プロセッサ２１５によるラウドネス分布及びシャープネス分布の生成について、詳しく説明する。
【００２２】
ラウドネス分布および／またはシャープネス分布は、呼出プロファイル２３０としてメモリ２２０に格納される。呼出ジェネレータ２２５は、メモリ２２０の呼出プロファイル２３０にアクセスし、かつその呼出プロファイルを使用して呼出信号の電力値及び呼出信号送信フィルタ２３５の伝達関数を求めるように構成されうる。呼出ジェネレータ２２５は、呼出信号のラウドネスが人間の聴力に対してより関連する周波数帯域等の選択された周波数帯域において周囲雑音ラウドネスを超えるように、呼出信号送信フィルタ２３５を使用して、例えば図１のスピーカ１１０を介して呼出信号を送信する。いくつかの実施形態において、呼出信号のラウドネスは、可聴スペクトルの全体にわたり周囲雑音信号のラウドネスを超えるようにしてもよい。本発明のいくつかの実施形態によると、呼出信号は、ある周波数スペクトルにおいて生成されるか、あるいは周囲雑音信号のラウドネスが比較的小さい範囲において生成される。したがって、本発明のいくつかの実施形態によれば、呼出信号の周波数スペクトルは、雑音信号のラウドネス分布および／またはシャープネス分布に基づいて計算してもよく、呼出信号の電力レベルは、雑音信号のラウドネス分布および／またはシャープネス分布に基づいて計算してもよい。あるいは、呼出信号の周波数スペクトル及び電力レベルの双方を、雑音信号のラウドネス分布および／またはシャープネス分布に基づいて計算してもよい。
【００２３】
図２は、移動端末等の電子デバイスにおいて呼出信号を生成するために使用される信号処理プロセッサの好適なソフトウェアおよび／またはハードウェアアーキテクチャを示す。ただし本発明はこの構成に限定されるものではなく、本明細書において説明される動作を実行できる任意の構成を含むことを意図することが理解されよう。さらに、上述のＤＳＰ２００を含むモジュールの動作を実行するコンピュータプログラムコードは、開発の便宜上、Ｃ又はＣ＋＋等の高水準プログラミング言語で記述されうる。本発明の動作を実行するコンピュータプログラムコードは、インタプリタ言語等の他のプログラミング言語で記述されてもよいが、それらに限定されない。いくつかのモジュール又はルーチンは、性能及びメモリ使用を向上させるためにアセンブリ言語又はマイクロコードで記述されてもよい。ＤＳＰ２００の任意又は全てのプログラムおよび／または処理モジュールの機能性は、個々のハードウェア構成要素、１つ以上の特定用途向け集積回路（ＡＳＩＣ）又はマイクロコントローラを使用して実現されてもよいことは更に理解されよう。
【００２４】
以下、本発明のいくつかの実施形態による方法、電子デバイス及びコンピュータプログラム製品のフローチャートおよび／またはブロック図を参照して、本発明について説明する。これらのフローチャートおよび／またはブロック図により、図１及び図２の移動端末及び信号処理プロセッサアーキテクチャの好適な動作を示す。フローチャートおよび／またはブロック図の各ブロック、並びにフローチャートおよび／またはブロック図のブロックの組合せは、コンピュータプログラム命令および／またはハードウェア動作により実現されてもよいことは理解されるであろう。コンピュータプログラム命令は、汎用コンピュータ、特殊用途コンピュータ又は他のプログラム可能なデータ処理装置のプロセッサに提供される。それにより、コンピュータ又は他のプログラム可能なデータ処理装置のプロセッサを介して実行される命令は、フローチャートおよび／またはブロック図のブロックにおいて特定される機能又は動作を実現する手段となる。
【００２５】
コンピュータプログラム命令は、コンピュータ使用可能メモリ又はコンピュータ可読メモリに格納され、コンピュータ又は他のプログラム可能なデータ処理装置に対して特定の方法で機能するように指示してもよい。それにより、コンピュータ使用可能メモリ又はコンピュータ可読メモリに格納された命令は、フローチャートおよび／またはブロック図のブロックにおいて特定された機能又は動作を実現する命令を含む製品を生成する。
【００２６】
コンピュータプログラム命令は、一連の動作ステップがコンピュータ又は他のプログラム可能な装置において実行されるように、コンピュータ又は他のプログラム可能なデータ処理装置にロードされ、コンピュータにより実現される処理を生成してもよい。それにより、コンピュータ又は他のプログラム可能な装置上で実行される命令は、フローチャートおよび／またはブロック図のブロックにおいて特定された機能又は動作を実現するステップを提供する。
【００２７】
次に図３を参照すると、動作はブロック３００で開始する。ブロック３００において、図１のマイクロフォン１００は、例えば周囲雑音信号を受信する。ブロック３０５において、図２の音響計測プロセッサ２１５は、例えば雑音信号の音響計測基準を生成する。ブロック３１０において、図２の呼出ジェネレータ２２５は、例えば音響計測基準に基づいてスペクトル構造を有する呼出信号を生成する。本発明のいくつかの実施形態によれば、周囲雑音信号を受信し、その周囲雑音信号に対する音響計測基準を生成してもよい。図２に関して上述したように、音響計測基準は、呼出プロファイル２３０としてメモリ２２０に保持される。移動端末又は電子デバイスに着信が受信された時、呼出信号が先に格納された呼出プロファイル２３０に基づいて生成される。
【００２８】
本発明のいくつかの実施形態によると、種々の呼出プロファイル２３０がメモリ２２０に格納されてもよい。種々の呼出プロファイル２３０は、例えばオフィス環境、アリーナ環境、自動車環境、ホーム環境等の種々の環境に対応する。移動端末又は電子デバイスに着信が受信されると、音響計測プロセッサ２１５は周囲雑音信号のラウドネスを解析し、呼出ジェネレータ２２５に対して先に格納された呼出プロファイル２３０のうち１つを識別して、呼出信号の生成の際に使用してもよい。
【００２９】
本発明のいくつかの実施形態によると、種々の呼出プロファイル２３０がメモリ２２０に格納されてもよい。種々の呼出プロファイル２３０は、上述のような種々の環境に対応する。ユーザは、呼出ジェネレータ２２５に対して特定の呼出プロファイルを選択し、呼出信号の生成の際に使用してもよい。それらの実施形態において、音響計測プロセッサは、着信時又はイベント受信時に周囲雑音レベルの解析を実行する必要はない。外部環境等の要素に加え、呼出プロファイル２３０は特定のユーザの嗜好に適応させてもよい。また、例えばユーザの聴力、ユーザの電子デバイスの保持方法および／または電子デバイスがユーザに対して保持される場所を考慮してもよい。
【００３０】
本発明の他の実施形態によれば、周囲雑音信号を受信し、その結果、音響計測基準を生成し、更に、移動端末又は電子デバイスでの着信の受信に応答して、呼出信号を音響計測基準に基づいて生成するようにしてもよい。すなわち、本発明のいくつかの実施形態に従い、呼出信号ラウドネスが着信に応答して動的に調整されてもよい。
【００３１】
次に図４を参照して、本発明のいくつかの実施形態による音響計測基準の計算の動作を説明する。動作はブロック４００で開始する。ブロック４００において、図２のＦＦＴモジュール２１０は、例えば周囲雑音信号に対してフーリエ変換を実行する。ブロック４０５において、音響計測プロセッサ２１５は、例えばISO 532Bのラウドネス計算方法を使用して、Barkに対するSones/Barkの分布を計算してもよい。ISO 532Bのラウドネスの計算については、Deutsches Institut fur Normung E.V. (DIN) 45631 Standard「Procedure For Calculating Loudness Level And Loudness」に説明されている。この引用により、その開示内容は本明細書に取り込まれる。図５は、周囲雑音信号に対するBarkに対するSones/Barkの分布の好適な一例を示している。ブロック４１０において、音響計測プロセッサ２１５は、周囲雑音信号の全体のラウドネス及び１つ以上の臨界帯域におけるラウドネスを求めることができる。全体のラウドネスは、図５の曲線より下の領域を計算することにより求められる。本発明の他の実施形態において、音響計測プロセッサ２１５は、上述したように周囲雑音信号のシャープネスを判定してもよい。ラウドネス分布は、周囲雑音信号の１つ以上の臨界帯域におけるラウドネスと全体のラウドネスとによって規定されうる。ラウドネス分布は、呼出プロファイル２３０として図２のメモリ２２０に格納されてもよい。
【００３２】
次に図６を参照して、本発明のいくつかの実施形態による呼出信号の生成の動作を説明する。動作はブロック６００で開始する。ブロック６００において、図２の呼出ジェネレータ２２５は、例えば周囲雑音信号のラウドネス分布に基づいて呼出信号の電力値を計算する。ブロック６０５において、呼出ジェネレータ２２５は、ラウドネス分布に基づいて呼出信号送信フィルタ２３５の伝達関数を求める。ブロック６１０において、呼出ジェネレータ２２５は、呼出信号送信フィルタ２３５を使用して、その電力値で呼出信号を送信する。呼出ジェネレータ２２５は、呼出信号のラウドネスが例えば人間の聴力に対してより関連する選択された周波数帯域において周囲雑音ラウドネスを超えることを好都合に許可してもよい。しかし、上述のように、本発明のいくつかの実施形態において、呼出信号は可聴スペクトルの全体にわたり雑音信号のラウドネスを超えるラウドネスを有するように生成されてもよい。更に、本発明は、ユーザが環境における周囲雑音を通して呼出信号を聞くことができる可能性が向上されるように、電力レベルおよび／または周波数スペクトルが設定されることを可能にしてもよい。いくつかの実施形態においては、これは、雑音信号の音響計測基準に基づいて、呼出信号の周波数を周囲雑音ラウドネスが比較的小さい周波数帯域に設定することを含んでもよい。他の実施形態においては、これは、雑音信号の音響計測基準に基づいて呼出信号の電力レベルを調整すると同時に、呼出信号の周波数を周囲雑音ラウドネスが比較的小さい周波数帯域に偏移することを含んでもよい。本発明の更に他の実施形態において、呼出信号の電力レベルは、雑音信号の音響計測基準に基づいて調整されてもよい。
【００３３】
本発明のいくつかの実施形態によると、呼出信号は、ある周波数スペクトルにおいて生成されるか、あるいは周囲雑音信号のラウドネスが比較的小さい領域において生成される。したがって、本発明のいくつかの実施形態によると、呼出信号の周波数スペクトルは、雑音信号のラウドネス分布および／またはシャープネス分布に基づいて計算してもよく、呼出信号の電力レベルは、雑音信号のラウドネス分布および／またはシャープネス分布に基づいて計算してもよい。あるいは、呼出信号の周波数スペクトル及び電力レベルの双方を、雑音信号のラウドネス分布および／またはシャープネス分布に基づいて計算してもよい。
【００３４】
本発明のいくつかの実施形態によると、音響計測プロセッサ２１５により生成されたラウドネス分布および／またはシャープネス分布は、例えば受信信号等化および／またはエコー抑圧等の機能のフィルタ係数の生成を容易にするために、図１のプロセッサ１３５および／またはトランシーバ１２５により使用されてもよい。
【００３５】
図３、図４及び図６のフローチャートは、本発明のいくつかの実施形態による移動端末１００及びＤＳＰ２００のハードウェアおよび／またはソフトウェアのアーキテクチャ、機能性及び動作を示している。この点に関して、各ブロックは、特定された論理的な機能又は動作を実現する１つ以上の実行可能な命令を含むモジュール、セグメント又はコードの一部を表わす。なお、他の実現例において、ブロックに示される機能又は動作は、図３、図４及び図６に示される順番と異なる順番でもよい。例えば、連続して示される２つのブロックが実際には同時に実行されてもよく、あるいは含まれる動作に応じて、それらブロックが逆の順番で実行されてもよい場合がある。
【００３６】
本発明の原理から逸脱することなく、上述の実施形態に対して多くの変形及び変更を行うことが可能である。そのような全ての変形及び変更は、請求の範囲に示される本発明の範囲内に含まれる。
【図面の簡単な説明】
【００３７】
【図１】図１は、本発明のいくつかの実施形態による移動端末を示すブロック図である。
【図２】図２は、図１の移動端末等の電子デバイスにおいて使用される本発明のいくつかの実施形態による信号処理プロセッサを示すブロック図である。
【図３】、
【図４】図３及び図４は、本発明のいくつかの実施形態に従って呼出信号を生成する動作を示すフローチャートである。
【図５】図５は、本発明のいくつかの実施形態による周囲雑音信号のラウドネスを示すグラフである。
【図６】図６は、本発明のいくつかの実施形態に従って呼出信号を生成する動作を示すフローチャートである。
【図１】
2007512767.tif 000003
【図２】
2007512767.tif 000004
【図３】
2007512767.tif 000005
【図４】
2007512767.tif 000006
【図５】
2007512767.tif 000007
【図６】
2007512767.tif 000008
【手続補正書】
【提出日】平成17年6月13日(2005.6.13)
【手続補正１】
【補正対象書類名】特許請求の範囲
【補正対象項目名】全文
【補正方法】変更
【補正の内容】
【特許請求の範囲】
【請求項１】
電子デバイスを動作させる方法であって、
雑音信号を受信するステップと、
前記雑音信号の周波数領域表現を取得するために前記雑音信号に対してフーリエ変換を実行するステップと、
前記雑音信号の音響計測基準としてのラウドネス分布を生成するステップと、
ISO 532Bのラウドネス計算方法を使用して、前記雑音信号の前記周波数領域表現についてのBarkに対するSones/Barkの分布を計算するステップと、
前記Barkに対するSones/Barkの分布に基づいて、前記雑音信号の全体のラウドネス及び前記雑音信号の少なくとも１つの臨界帯域におけるラウドネスを計算するステップと、
前記音響計測基準に基づいて呼出信号を生成するステップと、
を有し、
前記ラウドネス分布は、前記雑音信号の全体のラウドネス及び前記少なくとも１つの臨界帯域におけるラウドネスを含むことを特徴とする方法。
【請求項２】
前記呼出信号を生成するステップは、前記音響計測基準に基づいて、スペクトル構造を有する前記呼出信号を生成することを特徴とする請求項１に記載の方法。
【請求項３】
前記呼出信号を生成するステップは、
前記雑音信号の前記ラウドネス分布に基づいて、前記呼出信号の電力値を計算するステップと、
前記雑音信号の前記ラウドネス分布に基づいて、呼出信号送信フィルタの伝達関数を求めるステップと、
前記呼出信号送信フィルタを使用して、前記電力値で前記呼出信号を送信するステップと、
を含むことを特徴とする請求項１に記載の方法。
【請求項４】
前記呼出信号送信フィルタの伝達関数を求めるステップは、前記呼出信号送信フィルタの係数を選択するステップを含むことを特徴とする請求項３記載の方法。
【請求項５】
前記音響計測基準は、ラウドネス分布および／またはシャープネス分布を含むことを特徴とする請求項１に記載の方法。
【請求項６】
前記電子デバイスにおいて着信および／またはスケジュールされたイベントを受信するステップを更に有し、
前記雑音信号を受信するステップは、前記着信の受信に応答して前記雑音信号を受信する
ことを特徴とする請求項１に記載の方法。
【請求項７】
前記雑音信号を受信し、かつ前記雑音信号の前記音響計測基準を生成した後、前記電子デバイスにおいて着信を受信するステップを更に有し、
前記呼出信号を生成するステップは、前記着信の受信に応答して、前記音響計測基準に基づいて、スペクトル構造を有する呼出信号を生成する
ことを特徴とする請求項１に記載の方法。
【請求項８】
前記電子デバイスは移動端末であることを特徴とする請求項１に記載の方法。
【請求項９】
電子デバイスを動作させる方法であって、
複数の呼出プロファイルを提供するステップと、
前記複数の呼出プロファイルからユーザにより選択された１つの呼出プロファイルを受信するステップと、
前記複数の呼出プロファイルから選択された前記１つの呼出プロファイルに基づいて、呼出信号を生成するステップと、
を有する方法。
【請求項１０】
前記呼出信号を生成するステップは、前記複数の呼出プロファイルから選択された前記１つのプロファイルに基づいて、スペクトル構造を有する呼出信号を生成することを特徴とする請求項９に記載の方法。
【請求項１１】
前記呼出信号を生成するステップは、
前記雑音信号の前記複数の呼出プロファイルから選択された前記１つの呼出プロファイルに基づいて、前記呼出信号の電力値を計算するステップと、
前記雑音信号の前記複数の呼出プロファイルから選択された前記１つの呼出プロファイルに基づいて、呼出信号送信フィルタの伝達関数を求めるステップと、
前記呼出信号送信フィルタを用いて、前記電力値で、前記呼出信号を送信するステップと、
を含むことを特徴とする請求項９に記載の方法。
【請求項１２】
電子デバイスを動作させる方法であって：
複数の呼出プロファイルを提供するステップと、
雑音信号を受信するステップと、
前記雑音信号の受信に応答して、前記複数の呼出プロファイルから１つの呼出プロファイルを選択するステップと、
前記複数の呼出プロファイルから選択された前記１つの呼出プロファイルに基づいて、呼出信号を生成するステップと、
を有する方法。
【請求項１３】
前記呼出信号を生成するステップは、前記複数の呼出プロファイルから選択された前記１つの呼出プロファイルに基づいて、スペクトル構造を有する呼出信号を生成することを特徴とする請求項１２に記載の方法。
【請求項１４】
前記呼出信号を生成するステップは、
前記雑音信号の前記複数の呼出プロファイルから選択された前記１つの呼出プロファイルに基づいて、前記呼出信号の電力値を計算するステップと、
前記雑音信号の前記複数の呼出プロファイルから選択された前記１つの呼出プロファイルに基づいて、呼出信号送信フィルタの伝達関数を求めるステップと、
前記呼出信号送信フィルタを用いて、前記電力値で、前記呼出信号を送信するステップと、
を含むことを特徴とする請求項１２に記載の方法。
【請求項１５】
雑音信号を受信するように構成された受信機と、
前記雑音信号の周波数領域表現を取得するように構成されたフーリエ変換モジュールと、
前記雑音信号の音響計測基準としてのラウドネス分布を生成するように構成された音響計測プロセッサであって、ISO 532Bのラウドネス計算方法を使用して、前記雑音信号の周波数領域表現についての、Barkに対するSones/Barkの分布を計算し、前記Barkに対するSones/Barkの分布に基づいて、前記雑音信号の全体のラウドネス及び前記雑音信号の少なくとも１つの臨界帯域におけるラウドネスをさらに判定するように構成された音響計測プロセッサと、
前記音響計測基準に基づいて呼出信号を生成するように構成された呼出ジェネレータと、
を有し、
前記ラウドネス分布は、前記雑音信号の全体のラウドネス及び前記少なくとも１つの臨界帯域におけるラウドネスを含む
ことを特徴とする電子デバイス。
【請求項１６】
前記呼出ジェネレータは、前記音響計測基準に基づいて、スペクトル構造を有する呼出信号を生成することを特徴とする請求項１５に記載の電子デバイス。
【請求項１７】
前記呼出ジェネレータは呼出信号送信フィルタを含み、
前記呼出ジェネレータは、
前記雑音信号の前記ラウドネス分布に基づいて前記呼出信号の電力値を計算し、
前記雑音信号の前記ラウドネス分布に基づいて前記呼出信号送信フィルタの伝達関数を求め、
前記呼出信号送信フィルタを用いて、前記電力値で、前記呼出信号を送信する
ことを特徴とする請求項１５に記載の電子デバイス。
【請求項１８】
前記呼出ジェネレータは、さらに、前記呼出信号送信フィルタの係数を選択することを特徴とする請求項１７に記載の電子デバイス。
【請求項１９】
前記音響計測基準はラウドネス分布及びシャープネス分布を含むことを特徴とする請求項１５に記載の電子デバイス。
【請求項２０】
前記電子デバイスは移動端末であることを特徴とする請求項１５に記載の電子デバイス。
【請求項２１】
雑音信号を受信する手段と、
前記雑音信号の周波数領域表現を取得するために前記雑音信号に対してフーリエ変換を実行する手段と、
前記雑音信号の音響計測基準としてのラウドネス分布を生成する手段と、
ISO 532Bのラウドネス計算方法を使用して、前記雑音信号の前記周波数領域表現についての、Barkに対するSones/Barkの分布を計算する手段と、
前記Barkに対するSones/Barkの分布に基づいて、前記雑音信号の全体のラウドネス及び前記雑音信号の少なくとも１つの臨界帯域におけるラウドネスを判定する手段と、
前記音響計測基準に基づいて呼出信号を生成する手段と、
を有し、
前記ラウドネス分布は、前記雑音信号の全体のラウドネス及び前記少なくとも１つの臨界帯域におけるラウドネスを含む
ことを特徴とする電子デバイス。
【請求項２２】
前記呼出信号を生成する手段は、前記音響計測基準に基づいて、スペクトル構造を有する呼出信号を生成することを特徴とする請求項２１に記載の電子デバイス。
【請求項２３】
前記呼出信号を生成する手段は、
前記雑音信号の前記ラウドネス分布に基づいて前記呼出信号の電力値を計算する手段と、
前記雑音信号の前記ラウドネス分布に基づいて呼出信号送信フィルタの伝達関数を求める手段と、
前記呼出信号送信フィルタを用いて、前記電力値で、前記呼出信号を送信する手段と、
を含むことを特徴とする請求項２１に記載の電子デバイス。
【請求項２４】
複数の呼出プロファイルを提供する手段と、
前記複数の呼出プロファイルからユーザにより選択された１つの呼出プロファイルを受信する手段と、
前記複数の呼出プロファイルから選択された前記１つの呼出プロファイルに基づいて、呼出信号を生成する手段と、
を有する電子デバイス。
【請求項２５】
複数の呼出プロファイルを提供する手段と、
雑音信号を受信する手段と、
前記雑音信号の受信に応答して、前記複数の呼出プロファイルから１つの呼出プロファイルを選択する手段と、
前記複数の呼出プロファイルから選択された前記１つの呼出プロファイルに基づいて、呼出信号を生成する手段と、
を有する電子デバイス。
【請求項２６】
電子デバイスを動作させるコンピュータプログラム製品であって、
コンピュータ可読プログラムコードを実装したコンピュータ可読記憶媒体を含み、
前記コンピュータ可読プログラムコードは、
雑音信号を受信するように構成されたコンピュータ可読プログラムコードと、
前記雑音信号の周波数領域表現を取得するために前記雑音信号に対してフーリエ変換を実行するように構成されたコンピュータ可読プログラムコードと、
前記雑音信号の音響計測基準としてのラウドネス分布を生成するように構成されたコンピュータ可読プログラムコードと、
ISO 532Bのラウドネス計算方法を使用して、前記雑音信号の前記周波数領域表現についての、Barkに対するSones/Barkの分布を計算するように構成されたコンピュータ可読プログラムコードと、
前記Barkに対するSones/Barkの分布に基づいて、前記雑音信号の全体のラウドネス及び前記雑音信号の少なくとも１つの臨界帯域におけるラウドネスを判定するように構成されたコンピュータ可読プログラムコードと、
前記音響計測基準に基づいて呼出信号を生成するように構成されたコンピュータ可読プログラムコードとを含み、
前記ラウドネス分布は、前記雑音信号の前記全体のラウドネス及び前記少なくとも１つの臨界帯域におけるラウドネスを含む
ことを特徴とするコンピュータプログラム製品。
【請求項２７】
前記呼出信号を生成するように構成された前記コンピュータ可読プログラムコードは、
前記音響計測基準に基づいて、スペクトル構造を有する呼出信号を生成するように構成されたコンピュータ可読プログラムコードを含むことを特徴とする請求項２６に記載のコンピュータプログラム製品。
【請求項２８】
前記呼出信号を生成するように構成された前記コンピュータ可読プログラムコードは、
前記雑音信号の前記ラウドネス分布に基づいて前記呼出信号の電力値を計算するように構成されたコンピュータ可読プログラムコードと、
前記雑音信号の前記ラウドネス分布に基づいて呼出信号送信フィルタの伝達関数を求めるように構成されたコンピュータ可読プログラムコードと、
前記呼出信号送信フィルタを用いて、前記電力値で、前記呼出信号を送信するように構成されたコンピュータ可読プログラムコードと、
を含むことを特徴とする請求項２６記載のコンピュータプログラム製品。
【請求項２９】
電子デバイスを動作させるコンピュータプログラム製品であって、
コンピュータ可読プログラムコードを実装したコンピュータ可読記憶媒体を含み、
前記コンピュータ可読プログラムコードは、
複数の呼出プロファイルを提供するように構成されたコンピュータ可読プログラムコードと、
前記複数の呼出プロファイルからユーザにより選択された１つの呼出プロファイルを受信するように構成されたコンピュータ可読プログラムコードと、
前記複数の呼出プロファイルから選択された前記１つの呼出プロファイルに基づいて、呼出信号を生成するように構成されたコンピュータ可読プログラムコードと、
を含むコンピュータプログラム製品。
【請求項３０】
電子デバイスを動作させるコンピュータプログラム製品であって、
コンピュータ可読プログラムコードを実装したコンピュータ可読記憶媒体を含み、
前記コンピュータ可読プログラムコードは、
複数の呼出プロファイルを提供するように構成されたコンピュータ可読プログラムコードと、
雑音信号を受信するように構成されたコンピュータ可読プログラムコードと、
前記雑音信号の受信に応答して、前記複数の呼出プロファイルから１つの呼出プロファイルを選択するように構成されたコンピュータ可読プログラムコードと、
前記複数の呼出プロファイルから選択された前記１つの呼出プロファイルに基づいて、呼出信号を生成するように構成されたコンピュータ可読プログラムコードと、
を含むコンピュータプログラム製品。
【国際調査報告】
2007512767.tif 000009
2007512767.tif 000010